(57)【特許請求の範囲】
【請求項１】
網目が粗い湾曲形メッシュフィルタ５０と全流量制御用の流量調節部品５７（５１と５２の組合せ）とを設けた流入口１１、流入管路１２、複数の流入室１３、複数の主弁座１５、複数の流出管路１４、複数の流出口１６、を一体成形した弁本体１７に、各々の該主弁座１５を閉鎖するように、軟質ダイヤフラム２１−１と硬質ディスク２５−１とからなり中突起部２７−１とサイド・オリフィス３５とを有するダイヤフラム弁Ａ３０−１、又は、複数の貫通孔２２を有する軟質ダイヤフラム２１−２と複数の貫通孔２６を有する硬質ディスク２５−２と両者の間に挟着される網目が細かい金属製平網２９とからなり中突起部２７−２を有するダイヤフラム弁Ｂ３０−２、を設置し、該弁本体１７に各々の該ダイヤフラム弁Ａ３０−１又はダイヤフラム弁Ｂ３０−２のダイヤフラム２１の液密パッキン部３３を押圧するように各々のガイドケース４０を押止め、各々の該ガイドケース４０の内周部には該ダイヤフラム弁Ａ３０−１又はダイヤフラム弁Ｂ３０−２の中突起部２７の略中央に設けられたパイロット・オリフィス３１が閉鎖されるように、パイロット弁４１が固定されたプランジャ４２と、該プランジャ４２を常時弾発付勢しているコイルスプリング４３を収納し、各々の該ガイドケース４０の外周部には各々のソレノイド４７を設置して構成された複合型のパイロット弁方式の多連式電磁給水弁であって、少なくとも１つの主弁座１５−２にはダイヤフラム弁Ｂ３０−２を設置し、該ダイヤフラム弁Ｂ３０−２の中突起部２７−２の外周部に水密パッキン２８を環装して微少流量用流量調節部品５６−２と共に当該主弁座１５−２の流出管路１４−２の内周部に挿入し、該ダイヤフラム弁Ｂ３０−２の当該主弁座１５−２の開閉を無効とさせたパイロット弁直動方式の電磁給水弁をユニットＨとし、他の該主弁座１５−１にダイヤフラム弁Ａ３０−１を設置したパイロット弁方式の電磁給水弁をユニットＰとし、これらユニットＨ及びＰを組み合わせたことを特徴とする洗濯機等の多連式電磁給水弁。
【請求項２】
網目が粗い湾曲形メッシュフィルタ５０と全流量制御用の流量調節部品５７（５１と５２の組合せ）とを設けた流入口１１、流入管路１２、複数の流入室１３、複数の主弁座１５、複数の流出管路１４、複数の流出口１６、を一体成形した弁本体１７に、各々の該主弁座１５を閉鎖するように、軟質ダイヤフラム２１−１と硬質ディスク２５−１とからなり中突起部２７−１とサイド・オリフィス３５とを有するダイヤフラム弁Ａ３０−１、又は、複数の貫通孔２２を有する軟質ダイヤフラム２１−２と複数の貫通孔２６を有する硬質ディスク２５−２と両者の間に挟着される網目が細かい金属製平網２９とからなり中突起部２７−２を有するダイヤフラム弁Ｂ３０−２、を設置し、該弁本体１７に各々の該ダイヤフラム弁Ａ３０−１又はダイヤフラム弁Ｂ３０−２のダイヤフラム２１の液密パッキン部３３を押圧するように各々のガイドケース４０を押止め、各々の該ガイドケース４０の内周部には該ダイヤフラム弁Ａ３０−１又はダイヤフラム弁Ｂ３０−２の中突起部２７の略中央に設けられたパイロット・オリフィス３１が閉鎖されるように、パイロット弁４１が固定されたプランジャ４２と、該プランジャ４２を常時弾発付勢しているコイルスプリング４３を収納し、各々の該ガイドケース４０の外周部には各々のソレノイド４７を設置して構成された複合型のパイロット弁方式の多連式電磁給水弁であって、毎分５００ｃｃ未満の微少流量の給水を担当する主弁座１５−２にはダイヤフラム弁Ｂ３０−２を設置し、該ダイヤフラム弁Ｂ３０−２の中突起部２７−２の外周部に水密パッキン２８を環装して微少流量用流量調節部品５６−２と共に当該主弁座１５−２の流出管路１４−２の内周部に挿入し、該ダイヤフラム弁Ｂ３０−２の当該主弁座１５−２の開閉を無効とさせたパイロット弁直動方式の電磁給水弁をユニットＨとし、毎分５００ｃｃ以上の流量の給水を担当する該主弁座１５−１にダイヤフラム弁Ａ３０−１を設置したパイロット弁方式の電磁給水弁をユニットＰとし、これらユニットＨ及びＰを組み合わせたことを特徴とする洗濯機等の多連式電磁給水弁。
【発明の詳細な説明】
【０００１】
【発明の属する技術分野】
本発明は、水道水等の給水配管ライン等（以下、ラインという。）に設置して、プランジャに連結されたパイロット弁（弁体）でダイヤフラム弁のパイロット・オリフィスを開閉することにより、ダイヤフラム弁を連動させて主弁座の開閉を行う洗濯機等のパイロット弁方式の電磁給水弁に係るものであり、詳しくは２連式、３連式、４連式等の多連式電磁給水弁において、毎分５００ｃｃ未満の微少流量の給水を担当する電磁給水弁ユニットの給水の信頼性向上、微少流量用流量調節部品の機能維持の改善に関する。
【０００２】
【従来の技術】
従来、全自動洗濯機等には、例えば、洗濯（脱水）槽に大流量（例えば、毎分３０Ｌ）の水を給水させる電磁給水弁ユニットＥと、濯ぎ洗いの為に中流量程度（例えば、毎分１５Ｌ）の水を給水させる電磁給水弁ユニットＦと、を一体化させた横連設型２連式のパイロット弁方式の多連式電磁給水弁（図３参照）等が、搭載されているものがある。
又、例えば、洗濯（脱水）槽に大流量（例えば、毎分３０Ｌ）の水を給水させる電磁給水弁ユニットＥと、濯ぎ洗いの為に中流量程度（例えば、毎分１５Ｌ）の水を給水させる電磁給水弁ユニットＦと、洗剤やリンス剤等の溶解の為に小流量程度（例えば、毎分８Ｌ）の水を給水させる電磁給水弁ユニットＧと、を一体化させた集合型３連式のパイロット弁方式の多連式電磁給水弁（不図示）等が、搭載されているものがある。
【０００３】
前記のような各種の多連式電磁給水弁には、１つの流入口（例えば、ねじ継手の呼びＰＴ３／４、口径の呼び２０というように、業界では給水ホース等のねじ接続や口径等を規格化している。流入口には異物（例えば、虫、砂、鉄屑等）混入防止の６０メッシュ程度の網目が粗い湾曲形メッシュフィルタ（例えば、ステンレス鋼線）や、全流量（大流量〜小流量）制御用の流量調節部品（流量制御用の弾性部材（例えば、ＮＢＲ）の環状ディスク（フローシート）、該環状ディスクの支持材であるカラーやカップ等を組み込むことが多い。）と、１つの流入管路と、複数（２連式であれば２つ、３連式であれば３つ、４連式であれば４つ、以下、同じ。）の流入室（流出管路の外周部）と、複数の主弁座（流出管路の端面部の外周部肉厚を薄くした部分）と、複数の流出管路と、複数の流出口とを有する樹脂成形部材（例えば、ポリプロピレン樹脂）で一体成形した弁本体に、各々の弁座を各々閉鎖するように複数のダイヤフラム弁（弁体）を設置し、該弁本体に各々の該ダイヤフラム弁のダイヤフラムの液密パッキン部を押圧するように樹脂成形部材（例えば、ナイロン樹脂）のガイドケース（内部を一次背圧室という。）を各々押止め、各々の該ガイドケースの内周には該ダイヤフラム弁のパイロット・オリフィスが閉鎖されるように、弾性部材（例えば、シリコンゴム）の軟質パイロット弁（弁体）が固定された磁性部材のプランジャ（可動鉄心）と、該プランジャを常時弾発付勢しているコイルスプリング（例えば、ステンレス鋼線）を各々収納し、各々の該ガイドケースの外周部にはマグネット・ワイヤと呼ばれる銅線（例えば、エナメル線）を円筒状のボビン（例えば、ナイロン樹脂）に巻いて端子片（例えば、ファストン端子＃２５０）やリード線（電線）に接続（例えば、半田付け、ヒュージング、スポット溶接、レーザ溶接）し、電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止し、ヨークで囲繞したソレノイド（コイル）を各々設置して構成された一次背圧室配設常閉形のものが知られている。
【０００４】
細部において、例えば、２連式の多連式電磁給水弁においては、例えば、実公昭６２−２９０７３号公報等で開示されているように、大流量用貫通孔と中流量用貫通孔とを備え、流入管路内の管路を隔てるような複合型流量調節部品等を配設されているものもある。
【０００５】
又、前記２連式の多連式電磁給水弁においては、前記のように流入口の内周部に全流量制御用の流量調節部品を配設する場合が一般的だが、例えば、実開昭５６−１３６６８５号公報、登録実用新案第３０２１４８８号公報等で開示されているように、流出管路又は流出口の内周部に小流量〜微少流量用流量調節部品を配設する場合もある。
【０００６】
流入管路は、該流入口の水を流入室に誘導する通路であるが、流入管路内でキャビテーションを発生しやすくする（ダイヤフラム弁を主弁座から浮遊させる水撃圧を確保する）ために、管路を長くすることが多い。又、該全流量制御用流量調整部品で水の流れが乱流になってしまうので、キャビテーションをより発生しやすくするためには一度整流させることが必要であり、流入管路内に整流羽根（例えば、＊字状）を設ける場合が多い。
【０００７】
各々の流入室は、弁本体の内壁と流出管路の外周部とに囲まれた室をいい、ダイヤフラム弁に水の圧力を伝播させる機能がある。通常、該流入管路内で発生したキャビテーションは各々の該流入室で消失されている。
【０００８】
各々の主弁座は、流出管路（各々の流入室内の管路をいう。）の端面部（入口部）である。止水性能の向上のために、ダイヤフラム弁が食い込みやすくなる形状になっている。
【０００９】
各々の流出口は、流出管路の出口部であるが、弁本体外周部の管路をいう。各々の該流出口の外周部には、給水ホース等の抜け止め用に、環状の凸部（リブ）等がある。
【００１０】
各々の該ダイヤフラム弁は、例えば、弾性部材（例えば、シリコンゴム）の軟質ダイヤフラムに設けられた少なくとも一個の小穴と一個の中穴に、樹脂成形部材（例えば、ポリアセタール樹脂）の硬質ディスクの片面に設けられた少なくとも一個の小突起と一個の中突起部（円筒形）を嵌挿することにより結合（例えば、登録実用新案第３０１０８０６号公報等で開示されているように、複数の小穴と小突起を設けて嵌挿結合させても良い。）していて、該ダイヤフラム弁の外周部には該小突起が飛び出ていて、流入室と一次背圧室（ガイドケース内部）を貫通するサイド・オリフィス（小孔、ブリード孔ともいう。）を備え、該ダイヤフラム弁の中央部には該中突起部が飛び出ていて、略中央部には一次背圧室と背圧室流出口（中突起部内周部）を貫通するパイロット・オリフィス（中孔）を備えている。又該中突起部外周部には通水時の水の流れを整流する整流羽根等が設けられている。
【００１１】
さて、単体のパイロット弁方式の電磁給水弁と同様に、該多連式電磁給水弁にある複数の該ソレノイドの何れか（複数可）に電流を流し（通常は交流１００Ｖの電圧を印加するが、交流１００Ｖの電圧を全波整流した電圧や、直流電圧を印加しても良い。）励磁すると、該ソレノイドの内側に設置された該ガイドケース内の略中央部に該プランジャが吸引されて、該パイロット・オリフィスを閉鎖していた該パイロット弁が離れる。
すると、流入室の流体は該サイド・オリフィスから該一次背圧室に流入し、該パイロット・オリフィス、該背圧室流出口を通り、該流出管路、該流出口に流出する。この通路が開通されると、流入室の流体の圧力で該ダイヤフラム弁が該弁座から浮遊し、流体の大部分は、該流入口、該流入管路、該流入室、該弁座、該流出管路、該流出口の主流路を通り流出する。
【００１２】
次に、該ソレノイドに電流を流すのを止め消磁すると、該コイルスプリングにより該プランジャが定位に復旧し、該パイロット弁が該パイロット・オリフィスを閉鎖する。すると、該サイド・オリフィスから該一次背圧室に流入している流体は行き場を無くして、流体圧の上昇により該主弁座から浮遊していた該ダイヤフラム弁を該主弁座に押圧するようになる。そして、該主弁座が該ダイヤフラム弁で急閉鎖されて止水される。
【００１３】
さて、最近の全自動乾燥洗濯機等には、例えば、洗濯（脱水）槽に大流量の水を給水させる電磁給水弁ユニットＥと、濯ぎ洗いの為に中流量程度の水を給水させる電磁給水弁ユニットＦと、洗剤やリンス剤等の溶解の為に小流量程度の水を給水させる電磁給水弁ユニットＧと、例えば、乾燥工程時に温風送風と同時に噴霧させるための毎分５００ｃｃ未満の微少流量程度の水を給水させる電磁給水弁ユニットと、を一体化させたパイロット弁方式の多連（２連、３連、４連等）式電磁給水弁の開発要望が多くなっている。
【００１４】
大流量の電磁給水弁ユニットＥは、流入口に全流量制御用流量調節部品等が配設されているので、特に別途流量調節部品等を配設しなくてもよいが、微少流量の電磁給水弁ユニットにおいては、前記（例えば、実開昭５６−１３６６８５号公報、登録実用新案第３０２１４８８号公報等で開示されている技術）のように、各ユニットの流出管路又は流出口の内周部に、微少流量用流量調節部品等を配設する必要がある。中流量の電磁給水弁ユニットＦ、小流量の電磁給水弁ユニットＧにおいては、必要により中流量〜小流量用流量調節部品等を各ユニットＦ〜Ｇの流出管路又は流出口の内周部等に配設すると良い。
【００１５】
【発明が解決しようとする課題】
しかしながら、毎分５００ｃｃ以上の大流量から小流量においては、異物が流れてきても、各電磁給水弁ユニットＥ〜Ｇの流出口の内周部に設けられた各々流量調節部品の付着することは少ないが、微少流量においては、異物が流れにくく、毎分５００ｃｃ未満の微少流量の給水を担当する電磁給水弁ユニットの流出口の内周部に設けられた微少流量用流量調節部品等に堆積する可能性が高いという問題点がある。
【００１６】
本発明は、従来の技術の有するこのような問題点を鑑みてなされたものであり、その目的とするところは、毎分５００ｃｃ未満の微少流量の給水を担当する電磁給水弁ユニットの微少流量の給水信頼性、微少流量用流量調節部品の機能維持が期待できる洗濯機等の多連式電磁給水弁を提供しようとするものである。
【００１７】
【課題を解決するための手段】
上記目的を達成するために、本発明の洗濯機等の多連式電磁給水弁は、網目が粗い（例えば、２０〜７０メッシュ程度）湾曲形メッシュフィルタ（例えば、ステンレス鋼線、鉄線、銅線、アルミニウム線、合金線、樹脂線、或いはゴムメッシュフィルタ、樹脂メッシュフィルタ、不織紙フィルタ、不織布フィルタ、セルローズ繊維フィルタ、活性炭繊維フィルタ、ガラス繊維フィルタ、多孔質スポンジ等でも良いし、又ステンレス鋼線等と前記フィルタとの複合フィルタ等であっても良い。）と全流量制御用の流量調節部品（例えば、カラー、環状ディスク等からなる。又、通水抵抗の多い多孔質スポンジ、多孔質グラファイト、多孔質セラミック、多孔性カーボン、多孔性無機物質等でも良い。）とを設けた流入口、流入管路、複数の流入室、複数の主弁座、複数の流出管路、複数の流出口、を一体成形した弁本体に、各々の該主弁座を閉鎖するように、軟質ダイヤフラムと硬質ディスクとからなり中突起部とサイド・オリフィスとを有するダイヤフラム弁Ａ（大流量から小流量程度の給水を担当する電磁給水弁ユニット用のダイヤフラム弁）、又は、複数（例えば、八個）の貫通孔を有する軟質ダイヤフラムと複数（例えば、八個）の貫通孔を有する硬質ディスクと両者の間に挟着される網目が細かい（例えば、８０〜１２０メッシュ程度）金属製平網（例えば、ステンレス鋼線、銅線、アルミニウム線）とからなり中突起部を有する（サイド・オリフィスは有って無くても良い。）ダイヤフラム弁Ｂ（微少流量の給水を担当する電磁給水弁ユニット用のダイヤフラム弁）、を設置し、該弁本体に各々の該ダイヤフラム弁Ａ又はダイヤフラム弁Ｂのダイヤフラムの液密パッキン部を押圧するように各々のガイドケースを押止め、各々の該ガイドケースの内周部には該ダイヤフラム弁Ａ又はダイヤフラム弁Ｂの中突起部の略中央に設けられたパイロット・オリフィスが閉鎖されるように、パイロット弁が固定されたプランジャと、該プランジャを常時弾発付勢しているコイルスプリングを収納し、各々の該ガイドケースの外周部には各々のソレノイドを設置して構成された複合型のパイロット弁方式の多連式電磁給水弁であって、少なくとも１つの該主弁座にはダイヤフラム弁Ｂを設置し、該ダイヤフラム弁Ｂの中突起部の外周部に水密パッキンを環装して微少流量用流量調節部品（例えば、カップ、環状ディスク等からなる。従来品で良い。振動音防止等にはカップの外周部に水密パッキン等を環装しても良い。又、通水抵抗の多い多孔質スポンジ、多孔質グラファイト、多孔質セラミック、多孔性カーボン、多孔性無機物質等でも良い。）と共に当該主弁座の流出管路の内周部に挿入し、該ダイヤフラム弁Ｂの当該主弁座の開閉を無効とさせたパイロット弁直動方式の電磁給水弁をユニットＨ（微少流量の給水を担当する電磁給水弁ユニットＨ。以下、ユニットＨという。）とし、他の該主弁座にダイヤフラム弁Ａ（従来品）を設置したパイロット弁方式の電磁給水弁をユニットＰ（大流量から小流量程度の給水を担当する電磁給水弁ユニットＥ〜Ｇ。以下、ユニットＰという。）とし、これらユニット（ユニットＨとユニットＰ）を任意に（例えば、２連式、３連式、４連式とするために）組み合わせた（例えば、ユニットＨ＋ユニットＰ、ユニットＨ＋ユニットＰ＋ユニットＰ、ユニットＨ＋ユニットＨ＋ユニットＰ、ユニットＨ＋ユニットＰ＋ユニットＰ＋ユニットＰ、ユニットＨ＋ユニットＨ＋ユニットＰ＋ユニットＰ、ユニットＨ＋ユニットＨ＋ユニットＨ＋ユニットＰ）ことを特徴とする。
【００１８】
細部においては、毎分５００ｃｃ未満の微少流量の給水を担当する該主弁座には該ダイヤフラム弁Ｂを設置し、該ダイヤフラム弁Ｂの中突起部の外周部に水密パッキンを環装して微少流量用流量調節部品と共に当該主弁座の流出管路の内周部に挿入し、該ダイヤフラム弁Ｂの当該主弁座の開閉を無効とさせたパイロット弁直動方式の電磁給水弁をユニットＨとし、毎分５００ｃｃ以上の流量（流出口の口径等により大流量から小流量にコントロールできる。）の給水を担当する該主弁座に該ダイヤフラム弁Ａを設置したパイロット弁方式の電磁給水弁をユニットＰとしたことを特徴とする。
【００１９】
【発明の実施の形態】
発明の実施の形態について図面を参照して説明する。
図１は本発明の一実施例の洗濯機等の多連式電磁給水弁１０のダイヤフラム弁Ｂを搭載するパイロット弁直動方式の電磁給水弁ユニット（ユニットＨ）の閉弁時における断面図（図３のＢ−Ｂ断面図）であり、図２は本発明の一実施例の洗濯機等の多連式電磁給水弁１０のダイヤフラム弁Ｂを搭載するパイロット弁直動方式の電磁給水弁ユニット（ユニットＨ）の開弁時における断面図（図３のＢ−Ｂ断面図）である。
図４は本発明の一実施例の洗濯機等の多連式電磁給水弁１０のダイヤフラム弁Ａを搭載する従来のパイロット弁方式の電磁給水弁ユニット（ユニットＰ）の閉弁時における断面図（図５のＡ−Ａ断面図）である。
【００２０】
本発明の一実施例の洗濯機等の多連式電磁給水弁１０においては、図３（図５）の弁本体１７の流入口１１に、全流量の異物（例えば、虫、砂、鉄屑等）混入防止用２０〜７０メッシュ程度（本一実施例においては６０メッシュ）の流入口用湾曲形メッシュフィルタ（例えば、ステンレス鋼線、鉄線、銅線、アルミニウム線、合金線、樹脂線）５０、全流量制御用の流量調節部品５７（例えば、カラー５１、環状ディスク５２等からなる。又、通水抵抗の多い多孔質スポンジ、多孔質グラファイト、多孔質セラミック、多孔性カーボン、多孔性無機物質等でも良い。）を設けてある。
メッシュフィルタ５０は、例えば、ゴムメッシュフィルタ、樹脂メッシュフィルタ、不織紙フィルタ、不織布フィルタ、セルローズ繊維フィルタ、活性炭繊維フィルタ、ガラス繊維フィルタ、多孔質スポンジ等と置換しても良いし、又メッシュフィルタ５０と前記フィルタとの複合フィルタ等であっても良い。
又、例えば、特開平２−２６６１７９号公報等で開示されているように、二重の湾曲形メッシュフィルタ等を配設しても良い。
【００２１】
先ず、図１及び図２の図面を参照して説明する。図１及び図２は従来の弁本体１７（従来品：合成樹脂製でも真鍮製でも良い。）のうち、水が流入する流入口１１、流入管路１２、ダイヤフラム弁Ｂ３０−２に水の圧力を伝播させる流入室１３−２、主弁座１５−２、流出管路１４−２、水が流出する流出口１６−２が断面としてあらわしたものである。該主弁座１５−２を閉鎖するようにダイヤフラム弁Ｂ３０−２を設置し、該弁本体１７に該ダイヤフラム弁Ｂ３０−２の液密パッキン部３３−２を押圧するようにガイドケース４０−２（従来品）を押止め、該ガイドケース４０−２の内周部には該ダイヤフラム弁Ｂ３０−２のパイロット・オリフィス３１−２が閉鎖されるように、パイロット弁（弁体）４１−２（従来品）が固定されたプランジャ４２−２（従来品）と、該プランジャ４２−２を常時弾発付勢しているコイルスプリング４３−２（従来品）を収納し、該ガイドケース４０−２の外周部には銅線４４−２を円筒状のボビン４５−２に巻いて端子片４６−２に接続したソレノイド４７−２（従来品）を設置したものである。
【００２２】
ダイヤフラム弁Ｂ３０−２は、少なくとも一個（本一実施例においては八個）のダイヤフラム・オリフィス（貫通孔）２２と一個の中穴を設けた、例えば、弾性部材（例えば、シリコンゴム）の軟質ダイヤフラム２１−２と、少なくとも一個（本一実施例においては八個）のディスク・オリフィス（貫通孔）２６と一個の中突起部２７−２を設けた、例えば、合成樹脂成形部材（例えば、ポリアセタール樹脂）の硬質ディスク２５−２と、両者の間に、微細異物混入防止用８０〜１２０メッシュ程度（本一実施例においては１００メッシュ）の金属製平網（例えば、ステンレス鋼線、鉄線、銅線、アルミニウム線、合金線）２９を挟着し、該軟質ダイヤフラム２１−２の中穴に硬質ディスク２５−２の中突起部２７−２を嵌挿することにより結合させたものである。該中突起部２７−２の略中央部には、例えば、直径０．７ｍｍのパイロット・オリフィス（貫通孔）３１−２を備えた。（従来品のダイヤフラム弁Ａ３０−１に有るサイド・オリフィス３５は有って無くても良い。）
【００２３】
無機質である金属製平網２９は、例えば、ゴムメッシュフィルタ、樹脂メッシュフィルタ、不織紙フィルタ、不織布フィルタ、繊維フィルタ、ガラス繊維フィルタ等と置換しても良いし、又金属製平網２９と前記フィルタとの複合フィルタ等であっても良い。
但し、フィルタを形成している成分に有機質等が存在すると、異物、固形物、スケール堆積物、ぬめり、水垢、糊状皮膜等により、早めに目詰まりを起こす可能性があるので、注意が必要である。
【００２４】
必要であれば、前記フィルタに、銀及び／又は銅の鍍金、塗布、被覆（コーティング）加工等の抗菌処理等をすることにより、抗菌性が向上し、異物、固形物、スケール堆積物、ぬめり、水垢、糊状皮膜等が付着（成長）しにくくすることが可能である。
【００２５】
所定の通水量が毎分５００ｃｃ以上の流量の水が給水されないように、該中突起部２７−２の外周部には水密パッキン（例えば、Ｏリング）２８を環装して該流出管路１４−２の内周部に挿入し、該主弁座１５−２の開閉を無効とさせた。
又、不図示ではあるが、該ダイヤフラム弁Ｂ３０−２の浮遊防止に、該ガイドケース４０−２と該ダイヤフラム弁Ｂ３０−２とを常時弾発付勢させるコイルスプリングを入れても良い。
【００２６】
又、流出管路１４−２の内周部に微少流量用の流量調節部品５６−２（例えば、カップ５４−２、環状ディスク５５−２等からなる。従来品で良い。振動音防止等にはカップ５４−２の外周部に水密パッキン等を環装しても良い。又、通水抵抗の多い多孔質スポンジ、多孔質グラファイト、多孔質セラミック、多孔性カーボン、多孔性無機物質等でも良い。）を設けた。又、流出管路１４−２の内周部でなく、流出口１６−２の内周部に設けても良い。
又、不図示ではあるが、流出口１６−２の内周部には、該微少流量用流量調節部品５６−２の飛び出し等を防止するために、支持材５８等を挿入（圧入）しても良いし、該弁本体１７に一体成形しておいても良い。
【００２７】
さて、作用として、該ソレノイド４７−２に交流電流を流す（通常は交流１００Ｖの電圧を印加し励磁する。）と、該ソレノイド４７−２の内側に設置された該ガイドケース４０−２内の略中央部に該プランジャ４２−２が吸引されて、該パイロット・オリフィス（弁座）３１−２を閉鎖していた該パイロット弁（弁体）４１−２が離れる。
そして、流入室１３−２の水はダイヤフラム・オリフィス２２と金属製平網２９とディスク・オリフィス２６とを通り背圧室３４−２に流入し、該パイロット・オリフィス３１−２を通り、該流出管路１４−２、該流出口１６−２に流出する。このときの流量は毎分５００ｃｃ未満の微少流量である。
【００２８】
次に、該ソレノイド４７−２に交流電流を流すのを止める（通常は交流１００Ｖの電圧を停電し消磁する。）と、該コイルスプリング４３−２により該プランジャ４２−２が定位に復帰し、該パイロット弁４１−２が該パイロット・オリフィス３１−２を閉鎖して止水される。
【００２９】
次に、図４の図面を参照して説明する。図４は従来の弁本体１７（従来品：合成樹脂製でも真鍮製でも良い。）のうち、水が流入する流入口１１、流入管路１２、ダイヤフラム弁Ａ３０−１に水の圧力を伝播させる流入室１３−１、主弁座１５−１、流出管路１４−１、水が流出する流出口１６−１が断面としてあらわしたものである。該主弁座１５−１を閉鎖するようにダイヤフラム弁Ａ３０−１を設置し、該弁本体１７に該ダイヤフラム弁Ａ３０−１の液密パッキン部３３−１を押圧するようにガイドケース４０−１（従来品）を押止め、該ガイドケース４０−１の内周部には該ダイヤフラム弁Ａ３０−１のパイロット・オリフィス３１−１が閉鎖されるように、パイロット弁（弁体）４１−１（従来品）が固定されたプランジャ４２−１（従来品）と、該プランジャ４２−１を常時弾発付勢しているコイルスプリング４３−１（従来品）を収納し、該ガイドケース４０−１の外周部には銅線４４−１を円筒状のボビン４５−１に巻いて端子片４６−１に接続したソレノイド４７−１（従来品）を設置したものである。
【００３０】
ダイヤフラム弁Ａ３０−１は、例えば、弾性部材（例えば、シリコンゴム）の軟質ダイヤフラム２１−１に設けられた少なくとも一個の小穴と一個の中穴に、樹脂成形部材（例えば、ポリアセタール樹脂）の硬質ディスク２５−１の片面に設けられた少なくとも一個の小突起と一個の中突起部２７−１を嵌挿することにより結合していて、該ダイヤフラム弁Ａ３０−１の外周部には該小突起が飛び出ていて、流入室と一次背圧室を貫通するサイド・オリフィス（小孔）３５を備え、該ダイヤフラム弁Ａ３０−１の中央部には該中突起部２７−１が飛び出ていて、略中央部には一次背圧室３４−１と背圧室流出口を貫通する例えば、直径０．７ｍｍのパイロット・オリフィス（中孔）３１−１を備えている従来品である。
【００３１】
但し、パイロット・オリフィス３１−１の直径が０．７ｍｍ以下の従来品を使用すると、異物、固形物、スケール堆積物、ぬめり、水垢、糊状皮膜等により、目詰まりを起こす可能性があるので、注意が必要である。
必要であれば、軟質ダイヤフラム２１−１や硬質ディスク２５−１に、銀及び／又は銅の鍍金、塗布、被覆（コーティング）加工等の抗菌処理等をすることにより、抗菌性が向上し、異物、固形物、スケール堆積物、ぬめり、水垢、糊状皮膜等が付着（成長）しにくくすることが可能である。
【００３２】
必要により、流出管路１４−１の内周部に流量制御用の流量調節部品５６−１（例えば、カップ５４−１、環状ディスク５５−１等からなる。従来品で良い。振動音防止等にはカップ５４−１の外周部に水密パッキン等を環装しても良い。）を設けても良い。又、流出管路１４−１の内周部でなく、流出口１６−１の内周部に設けても良い。
又、不図示ではあるが、流出口１６−１の内周部には、該流量調節部品５６−１の飛び出し等を防止するために、支持材５８等を挿入（圧入）しても良いし、該弁本体１７に一体成形しておいても良い。
【００３３】
さて、作用として、該ソレノイド４７−１に交流電流を流す（通常は交流１００Ｖの電圧を印加し励磁する。）と、該ソレノイド４７−１の内側に設置された該ガイドケース４０−１内の略中央部に該プランジャ４２−１が吸引されて、該パイロット・オリフィス（弁座）３１−１を閉鎖していた該パイロット弁（弁体）４１−１が離れる。
そして、流入室１３−１の水はサイド・オリフィス３５を通り背圧室３４−１に流入し、該パイロット・オリフィス３１−１を通り、該流出管路１４−１、該流出口１６−１に流出する。このときの流量は毎分５００ｃｃ以上の流量（該流出口１６−１の口径等により大流量から小流量にコントロールできる。）である。
【００３４】
次に、該ソレノイド４７−１に交流電流を流すのを止める（通常は交流１００Ｖの電圧を停電し消磁する。）と、該コイルスプリング４３−１により該プランジャ４２−１が定位に復帰し、該パイロット弁４１−１が該パイロット・オリフィス３１−１を閉鎖して止水される。
【００３５】
本発明の一実施例の洗濯機等の多連式電磁給水弁１０においては、従来の弁本体１７、ガイドケース４０（４０−１、４０−２）、パイロット弁４１（４１−１、４１−２）、プランジャ４２（４２−１、４２−２）、ソレノイド４７（４７−１、４７−２）等がそのまま流用でき、ダイヤフラム弁Ｂ３０−２に設けられた金属製平網２９により、微少流量用流量調節部品５６−２が微細異物、微細固形物、スケール堆積物、ぬめり、水垢、糊状皮膜等による目詰まりを起こす可能性が低くなり、所定の通水量が毎分５００ｃｃ未満の微少流量の給水信頼性、流量調節部品５６や全自動乾燥洗濯機等の乾燥機構部等に設けられる噴霧口の機能維持が期待できる。
そして、洗濯機等の電気制御系のハードウェア（印刷配線基板）及び／又はソフトウェア（制御マイコン等）を変更することなく、容易に従来弁との置換若しくは部品（ダイヤフラム弁Ｂ３０−２等）交換による改善が可能である。
【００３６】
以上、本発明の好適な実施の形態について述べてきたが、本発明は上述する実施の形態に限定されるものでなく、発明の精神を逸脱しない範囲で多くの組合せ、改変等を施し得るのはもちろんである。
例えば、本発明の一実施例の洗濯機等の多連式電磁給水弁１０においては、常閉型としたが常開型としても良い。
又、例えば、ソレノイド４７（４７−１、４７−２）には、通常は、例えば、交流対地電圧３００Ｖ以下で周波数５０Ｈｚ又は６０Ｈｚの一般用低圧の単相交流電源等を印加するが、該単相交流電源を全波整流した電圧や、該単相交流電源をＡＣ−ＤＣ変換した直流電圧等を印加しても良い。
本発明においては、説明の一部に、銀及び／又は銅という表現を採用したが、例えば、抗菌性金属添着合成樹脂、銅銀合金、銅合金、抗菌性金属添着金属等も含まれるものとする。又抗菌性金属においては銀、銅等が有り、添着、添加、含有、コーティング、メッキ、蒸着等の処理加工方法を問わないものである。
【００３７】
【発明の効果】
本発明の洗濯機等の多連式電磁給水弁においては、毎分５００ｃｃ未満の微少流量の給水を担当する電磁給水弁ユニット（ユニットＨ）の微少流量の給水信頼性、微少流量用流量調節部品の機能維持が期待できるという効果を奏する。
【図面の簡単な説明】
【図１】本発明の一実施例のパイロット弁方式の多連式電磁給水弁のダイヤフラム弁Ｂを搭載するパイロット弁直動方式の電磁給水弁ユニットの閉弁時における断面図（図３のＢ−Ｂ断面図）である。
【図２】本発明の一実施例のパイロット弁方式の多連式電磁給水弁のダイヤフラム弁Ｂを搭載するパイロット弁直動方式の電磁給水弁ユニットの開弁時における断面図（図３のＢ−Ｂ断面図）である。
【図３】従来及び本発明の一実施例のパイロット弁方式の多連（２連）式電磁給水弁の平面図であり、図１及び図２に係わるＢ−Ｂ断面位置を示す参考図である。
【図４】本発明の一実施例のパイロット弁方式の多連式電磁給水弁のダイヤフラム弁Ａを搭載する従来のパイロット弁方式の電磁給水弁ユニットの閉弁時における断面図（図５のＡ−Ａ断面図）である。
【図５】従来及び本発明の一実施例のパイロット弁方式の多連（２連）式電磁給水弁の平面図であり、図４に係わるＡ−Ａ断面位置を示す参考図である。
【符号の説明】
１０…一実施例の多連（２連）式電磁給水弁、１１…流入口、１２…流入管路、１３…流入室、１４…流出管路、１５…主弁座、１６…流出口、１７…弁本体、２０…内壁、３０…ダイヤフラム弁（弁体）、３３…液密パッキン部、３５…サイド・オリフィス、４０…ガイドケース、４１…パイロット弁（弁体）、４２…プランジャ、４３…コイルスプリング、４４…銅線、４５…円筒状のボビン、４６…端子片、４７…ソレノイド、５０…流入口用湾曲形メッシュフィルタ、５１…カラー、５２…環状ディスク（フローシート）、５４…カップ、５５…環状ディスク（フローシート）、５６−１…流出管路／流出口用の中流量〜小流量制御用流量調節部品、５６−２…流出管路／流出口用の微少流量用流量調節部品、５７…流入口用の全流量制御用流量調節部品、５８…支持材
【図１】
0003635637.tif 000002
【図２】
0003635637.tif 000003
【図３】
0003635637.tif 000004
【図４】
0003635637.tif 000005
【図５】
0003635637.tif 000006